(57)【要約】【課題】  指針本体をその全長に渡って発光させることが可能な発光指針を提供する。【解決手段】  回転中心領域Ｒと計測値表示部を指示する指示部１２と回転中心領域Ｒから連続して指示部１２の軸線方向Ｘと同軸方向に延びる延長部１８とを有する透光性の指針本体１０と、照明光を指針本体１０に導くための導光手段６２を有する台座部材３０とを備えている発光指針において、指針本体１０と導光手段６２と遮蔽部材７０とを覆う非透光性のカバー部材２０には、指針本体１０の前面を露出させるスリット２１ａが設けられ、導光手段６２は、照明光を受光する受光部６３と、照明光を指示部１２に導くための第１導光部６４と、照明光を延長部１８に導くための第２導光部６５とを有し、第２導光部６５には、照明光を延長部１８に出射する光出射部６５ｃが設けられ、この光出射部６５ｃは、延長部１８と対向するように同軸方向に沿い延びているものである。【選択図】図１
2016003999.tif 000002
【特許請求の範囲】
【請求項１】
回転中心領域と計測値表示部を指示する指示部と前記回転中心領域から連続して前記指示部の軸線方向と同軸方向に延びる延長部とを有する透光性の指針本体と、
前記指針本体が発光するように照明光を前記指針本体に導くための導光手段を有する台座部材とを備えている発光指針において、
前記回転中心領域と前記延長部と前記導光手段とを少なくとも覆う非透光性のカバー部材には、前記指針本体の前面うち前記回転中心領域の前面と前記延長部の前面とを少なくとも露出させるスリットが設けられ、
前記導光手段は、照明光を受光する受光部と、照明光を前記指示部に導くための第１導光部と、照明光を前記延長部に導くための第２導光部とを有し、
前記第２導光部には、前記受光部を通じて前記第２導光部に導入された照明光を前記延長部に出射する光出射部が設けられ、
前記光出射部は、前記延長部と対向するように前記同軸方向に沿い延びていることを特徴とする発光指針。
【請求項２】
前記第２導光部には、前記受光部を通じて前記第２導光部に導入された照明光を前記回転中心領域の外方に向けて反射導光させる第１の反射部と、前記第１の反射部によって反射導光された照明光を前記光出射部へと導く第２の反射部とが設けられ、
前記発光指針の回転駆動時における重量バランスを保つためのバランサは、前記台座部材に設けられた受部によって保持され、前記第２の反射部に対応するように設けられる補助反射部を備えていることを特徴とする請求項１記載の発光指針。
【発明の詳細な説明】
【技術分野】
【０００１】
本発明は、各種車両に備えられる車両用計器に搭載された発光指針に関するものである。
【背景技術】
【０００２】
従来より、この種の発光指針にあっては、例えば下記特許文献１に記載されているものが知られている。この特許文献１に記載の発光指針は、回転中心領域と表示板に設けられた計測値表示部を指示する指示部とを有する透光性の指針本体と、この指針本体が発光するように照明光を指針本体に導くための導光手段と当該導光手段の周囲に位置する非透光性の台座部とを有する台座部材とを備え、指針本体の回転中心領域と台座部材に備えられる導光手段と台座部とを覆う非透光性のカバー部材には、指針本体の前面うち回転中心領域の前面を露出させるスリットが設けられている。また、この場合、指針本体には、回転中心領域から連続して指示部の軸線方向と同軸方向に延びる末端部（延長部）が設けられている。
【先行技術文献】
【特許文献】
【０００３】
【特許文献１】特開２００２−７１３９６号公報
【発明の概要】
【発明が解決しようとする課題】
【０００４】
ところで、上述した特許文献１に記載の発光指針において、指針本体の末端部（延長部）が前記スリットから露出せずに非透光性のカバー部材にて覆われているような場合、指示部と回転中心領域と末端部とで構成される指針本体は、末端部を除いた指示部と回転中心領域のみが照明光を受けて発光することになり、指針本体をその全長に渡って発光させることはできず、この点で更なる改良の余地が残されていた。
そこで本発明は、前述の課題に対して対処するため、指針本体をその全長に渡って発光させることが可能な発光指針の提供を目的とするものである。
【課題を解決するための手段】
【０００５】
本発明は、回転中心領域と計測値表示部を指示する指示部と前記回転中心領域から連続して前記指示部の軸線方向と同軸方向に延びる延長部とを有する透光性の指針本体と、前記指針本体が発光するように照明光を前記指針本体に導くための導光手段を有する台座部材とを備えている発光指針において、前記回転中心領域と前記延長部と前記導光手段とを少なくとも覆う非透光性のカバー部材には、前記指針本体の前面うち前記回転中心領域の前面と前記延長部の前面とを少なくとも露出させるスリットが設けられ、前記導光手段は、照明光を受光する受光部と、照明光を前記指示部に導くための第１導光部と、照明光を前記延長部に導くための第２導光部とを有し、前記第２導光部には、前記受光部を通じて前記第２導光部に導入された照明光を前記延長部に出射する光出射部が設けられ、前記光出射部は、前記延長部と対向するように前記同軸方向に沿い延びていることを特徴とする。
【０００６】
また本発明は、前記第２導光部には、前記受光部を通じて前記第２導光部に導入された照明光を前記回転中心領域の外方に向けて反射導光させる第１の反射部と、前記第１の反射部によって反射導光された照明光を前記光出射部へと導く第２の反射部とが設けられ、前記発光指針の回転駆動時における重量バランスを保つためのバランサは、前記台座部材に設けられた受部によって保持され、前記第２の反射部に対応するように設けられる補助反射部を備えていることを特徴とする。
【発明の効果】
【０００７】
本発明によれば、初期の目的を達成でき、指針本体をその全長に渡って発光させることが可能な発光指針を提供できる。
【図面の簡単な説明】
【０００８】
【図１】本発明の実施形態による発光指針を構成する各部を示す斜視図。
【図２】同実施形態による発光指針の断面図。
【図３】同実施形態による台座部材の正面図。
【発明を実施するための形態】
【０００９】
以下、図１〜図３に基づいて、本発明を車両用計器に搭載された発光指針に適用した一実施形態を説明する。
【００１０】
図１、図２において、本実施形態による発光指針は、透光性の指針本体１０と、この指針本体１０の前方と側方を覆うカバー部材２０と、このカバー部材２０の背面側開口を塞ぐように配置される台座部材３０と、発光指針の回転駆動時における重量バランスを保つためのバランサ４０とから構成され、可動磁石式計器またはステッピングモータからなる指針駆動手段５０に備えられる回転軸５１に装着され、この回転軸５１に連動して図示しない表示板上を軸回り回転するようになっている。
【００１１】
指針本体１０は、透光性合成樹脂材料によって形成され、回転中心領域Ｒと後述する延長部とを備える基部１１と、回転軸５１の軸線と同軸となる回転中心軸線ＲＡに対して略直交する方向に長手状（線状）に延びる指示部１２を有し、指示部１２は前記表示板に備えられる目盛等の計測値表示部（図示せず）を指示する。
【００１２】
なお、この場合、基部１１には、台座部材３０に備えられる後述する導光手段に対応する切り欠き部１３が形成され、この切り欠き部１３の内面にて第１の入光部１４と第２の入光部１５とが形成されている。
【００１３】
第１の入光部１４は、回転中心軸線ＲＡに沿うように設けられた立壁面からなり、基部１１と指示部１２との境界部分に位置している。また、第２の入光部１５は、指示部１２の軸線方向Ｘに沿うように設けられた平坦面からなり、基部１１の背面に位置する。
【００１４】
そして、回転中心領域Ｒには、前記導光手段の形状に対応した膨出部１６が設けられている。この膨出部１６は、回転中心領域Ｒに対応する第２の入光部１５箇所の側方に延びる略円形のフランジ部からなり、台座部材３０に備えられる後述する位置決めピンに対応する２つの孔部１７を有している。
【００１５】
また、１８は、回転中心領域Ｒから連続して指示部１２の軸線方向Ｘと同軸方向に延びる延長部であり、この指針本体１０の後端側に設けられる延長部１８は、回転中心領域Ｒを挟んで指示部１２とは反対側に位置していることになる。
【００１６】
なお、指針本体１０（基部１１及び指示部１２）前面と、指示部１２背面と各入光部１４、１５とで構成される指針本体１０背面とのうち少なくとも一方に、白色等のホットスタンプ層（図示せず）を形成してもよい。
【００１７】
カバー部材２０は、非透光性（例えば黒色）の合成樹脂材料にて形成され、指針本体１０と台座部材３０の所要部（ここでは前記導光手段及び後述する遮蔽部材）とを覆う覆い部材からなり、指針本体１０の前方を覆う前面壁部２１と、指針本体１０の側方を覆う周壁部２２とを有し、前面壁部２１とは反対側となる周壁部２２の底部側は開口している。
【００１８】
カバー部材２０に備えられる前面壁部２１には、指針本体１０の前面（基部１１の前面、及び指示部１２の前面）を露出させるためのスリット２１ａが設けられ、また周壁部２２の内壁面には台座部材３０に備えられる後述する台座部に嵌合する一対の係止爪２２ａが設けられている。
【００１９】
台座部材３０は、透光性樹脂材料にて形成された透光部材６０と、非透光性（例えば黒色）の合成樹脂を用いた二色成形により透光部材６０に一体的に設けらた遮蔽部材７０とを備えている。
【００２０】
透光部材６０は、断面略Ｔ字形に形成され、指針本体１０における基部１１の直下に配置されている。この透光部材６０は、回転軸５１が装着（連結）される貫通孔部６１ａを有するボス部６１と、このボス部６１の前方側から回転中心軸線ＲＡを中心とした略円盤状に伸びる導光手段６２とを備えている。
【００２１】
導光手段６２は、指針本体１０が発光するように、光源（図示せず）からの照明光を指針本体１０に導くための機能を有している。また、導光手段６２は、前記光源からの照明光を受光するように導光手段６２の底部に設けられた受光部６３と、この受光部６３と第２の入光部１５との間に設けられた略扇形状の第１導光部６４、第２導光部６５とを備えている。
【００２２】
これら第１導光部６４と第２導光部６５は、図３に示すように貫通孔部６１ａを通り、指示部１２の軸線方向Ｘとは直交する方向に延びる仮想中心線Ｙを中心として、線対称な形状となっており、第１導光部６４と第２導光部６５との間に位置する導光手段６２の表面部分は、平坦な板面部６６として形成される。
【００２３】
また、この場合、照明光を指示部１２側に導くための第１導光部６４は指示部１２に近い側（回転中心軸線Ｒよりも先端側）に位置し、照明光を延長部１８側に導くための第２導光部６５は指示部１２から比較的離れた位置（回転中心軸線ＲＡよりも後端側）に位置している。
【００２４】
第１導光部６４には、受光部６３を通じて第１導光部６４内に導入された照明光を指示部１２側に反射導光させるための傾斜面形状からなる反射面６４ａと、この反射面６４ａを通じて指示部１２の軸線方向Ｘに反射された照明光（以下、第１照明光と言う）を外部に放射する立壁面からなる出光面６４ｂとが設けられている。
【００２５】
この出光面６４ｂは、指針本体１０の第１の入光部１４に対応（対面）しており、出光面６４ｂを通じて指示部１２に第１照明光を供給する。そして、指針本体１０の指示部１２は、指示部１２に第１照明光が供給されることで発光し、主に切り欠き部１３よりも先端側に位置する指示部１２領域を照明するようになっている。
【００２６】
一方、第２導光部６５には、受光部６３を通じて第２導光部６５内に導入された照明光を回転中心領域Ｒの外方に向けて反射導光させるための傾斜面形状からなる第１の反射部６５ａと、この第１の反射部６５ａによって反射導光された照明光（以下、第２照明光と言う）を延長部１８（後述する光出射部）へと導く曲面形状からなる第２の反射部６５ｂと、受光部６３を通じて第２導光部６５内に導入され、且つ第１、第２の反射部６５ａ、６５ｂを介して延長部１８側に反射導光された第２照明光を延長部１８に出射する光出射部６５ｃとが設けられている。
【００２７】
つまり、第１の反射部６５ａは、受光部６３を通じて第２導光部６５内に導入された照明光を第２の反射部６５ｂ側に向けて反射導光させるものであり、また第２の反射部６５ｂは、第１の反射部６５ａから光出射部６５ｃへと至る第２照明光の光路中に設けられ、第１の反射部６５ａと対面しており、第１の反射部６５ａで反射された第２照明光を光出射部６５ｃ側へと反射導光させるものである。
【００２８】
また、光出射部６５ｃは、基部１１の延長部１８に対応（対面）するように軸線方向Ｘと同軸方向に沿い延びており、第１、第２の反射部６５ａ、６５ｂを介して延長部１８側に反射導光された第２照明光は延長部１８に供給される。そして、延長部１８は、延長部１８に対面している光出射部６５ｃからの第２照明光を受けて発光することになる。
【００２９】
遮蔽部材７０は、周壁部２２の底部側開口を閉塞するように当該底部側開口に配設される黒色の合成樹脂材料によって形成された閉塞部材からなり、指示部１２を保持する細長薄板状の保持部７１と、導光手段６２の周囲（背面側周縁）に位置する台座部７２と、バランサ４０を固定保持するための受部７３とを備え、この受部７３と第２の反射部６５ｂとの間に形成される空所にバランサ４０が配設される。
【００３０】
保持部７１は、指示部１２を背後から覆うように構成され、指示部１２側に反射された第１照明光が指示部１２の背後側に漏れるのを防止する光漏れ防止部材としての機能を有している。
【００３１】
台座部７２は、導光手段６２を包囲するような略環状形状となっており、この台座部７２には、図３に示すように指針本体１０に備えられる孔部１７に対応するように設けられた一対の位置決めピン７４と、仮想中心線Ｙに沿うように導光部６２の板面部６６上に設けられる光量調整部７５とが設けられ、各孔部１７に各位置決めピン７４を挿入することにより、指針本体１０と台座部材３０との位置決めを行うようにしている。
【００３２】
光量調整部７５は、黒色の合成樹脂材料によって形成され、仮想中心線Ｙに沿うように台座部７２に一体的に設けられた遮光部からなる。具体的には、ここでの光量調整部７５は、貫通孔部６１を避けるように、貫通孔部６１ａと一対の位置決めピン７４との間に２箇所形成され、その形状はともに貫通孔部６１ａ側から位置決めピン７４側に向かうに従って末広がり状の形状となっている。
【００３３】
光量調整部７５は、受光部６３を通じて導光部６２内に供給された照明光の一部が、膨出部１６に対応する第１の入光部１５箇所（つまり回転中心領域Ｒ）を直接照らさないようにする役割を果たすものであり、これにより回転中心領域Ｒが、回転中心領域Ｒを除いた指針本体１０の他の領域（指示部１２や延長部１８）よりも明るくなり過ぎないようになっている。
【００３４】
つまり、このことは、光量調整部７５は、指示部１２と回転中心領域Ｒと延長部１８との照明バランスが保たれるように、回転中心領域Ｒに導入される照明光（以下、第３照明光と言う）の光量を調整するものであることを意味している。これにより膨出部１６に対応する第２の入光部１５箇所の真上に位置する回転中心領域Ｒは、回転中心領域Ｒに第３照明光が供給されることで、指示部１２や延長部１８よりも明るくなり過ぎないように発光し、指針本体１０全長の照明バランスの均一化が保たれて、指針本体１０の発光ムラを抑制することが可能となる。
【００３５】
なお、本例の場合、前記光源は、２箇所の光量調整部７５の直下にそれぞれ配置された白色ＬＥＤからなり、前記各光源の発光時にはスリット２１ａから露出する指針本体１０前面が白色で発光する。
【００３６】
バランサ４０は、黄銅、アルミニウム等の金属光沢を有する板材を加工したものであり、その背面部が台座部材３０に設けられた受部７３によって保持されている。
【００３７】
なお、４１は、第２の反射部６５ｂに対応するように設けられる曲面形状からなる補助反射面（補助反射部）であり、このバランサ４０に設けられる補助反射面４１は、第２の反射部６５ｂによって反射されずに第２の反射部６５ｂを透過してしまった第２照明光の一部を反射させるものである。これにより第２の反射部６５ｂにおける光の反射を補助し、光出射部６５ｃから出射される第２照明光の光量が多くなることから、延長部１８における発光輝度の低下を極力抑制することができる。
【００３８】
次に、本実施形態における発光指針の組み付け例について説明する。まず、上下が反転状態となっているカバー部材２０（つまりスリット２１ａが下端側に位置している状態のカバー部材２０）と、同様に上下が反転状態となっている指針本体１０（つまり指示部１２背面が上側に位置している指針本体１０）とを用意し、指針本体１０（指示部１２や回転中心領域Ｒ、延長部１８）の前面がスリット２１ａを臨むように指針本体１０をカバー部材２０内にセットする。
【００３９】
続いて、前記空所にバランサ４０が取り付けられた状態であって、且つ、上下が反転状態となっている台座部材３０（つまりボス部６１が上側に位置している台座部材３０）を用意し、保持部７１と指示部１２、並びに位置決めピン７４と孔部１７が各々向かい合うように、台座部材３０とカバー部材２０内に収容された状態の指針本体１０とを位置合わせする。
【００４０】
最後に、この台座部材３０を周壁部２２の底部側開口を塞ぐように指針本体１０側に押し付ける。すると、遮蔽部材７０の位置決めピン７４が指針本体１０の孔部１７に嵌め込まれ、且つ、台座部７２の外周部が第２のカバー部２２の内壁面に設けられた一対の係止爪２２ａに係止され、指針本体１０とカバー部材２０と台座部材３０とバランサ４０とで構成される発光指針の組み付けが完了する。
【００４１】
以上のように本実施形態では、回転中心領域Ｒと前記計測値表示部を指示する指示部１２と回転中心領域Ｒから連続して指示部１２の軸線方向Ｘと同軸方向に延びる延長部１８とを有する透光性の指針本体１０と、この指針本体１０が発光するように照明光を指針本体１０に導くための導光手段６２を有する台座部材３０とを備えている発光指針において、指針本体１０と導光手段６２と遮蔽部材７０とを覆う非透光性のカバー部材２０には、指針本体１０の前面を露出させるスリット２１ａが設けられ、導光手段６２は、照明光を受光する受光部６３と、照明光を指示部１２に導くための第１導光部６４と、照明光を延長部１８に導くための第２導光部６５とを有し、第２導光部６５には、受光部６３を通じて第２導光部６５に導入された照明光を延長部１８に出射する光出射部６５ｃが設けられ、この光出射部６５ｃは、延長部１８と対向するように前記同軸方向に沿い延びているものである。
【００４２】
従って、指針本体１０の指示部１２は指示部１２に第１照明光が供給されることで発光し、指針本体１０の回転中心領域Ｒは回転中心領域Ｒに第３照明光が供給されることで発光し、さらに回転中心領域Ｒを挟んで指示部１２とは反対側に位置している指針本体１０の延長部１８は、延長部１８に対面している光出射部６５ｃからの第２照明光を受けて発光することから、指示部１２と回転中心領域Ｒと延長部１８とで構成される指針本体１０をその全長に渡って発光させることが可能な発光指針を提供することができる。
【００４３】
また本実施形態では、第２導光部６５には、受光部６３を通じて第２導光部６５に導入された照明光を回転中心領域Ｒの外方に向けて反射導光させる第１の反射部６５ａと、この第１の反射部６５ａによって反射導光された照明光（第２照明光）を光出射部６５ｃへと導く第２の反射部６５ｂとが設けられ、発光指針の回転駆動時における重量バランスを保つためのバランサ４０は、台座部材３０に設けられた受部７３によって保持され、第２の反射部６５ｂに対応するように設けられる補助反射面（補助反射部）４１を備えていることにより、第２の反射部６５ｂにおける光の反射を補助し、光出射部６５ｃから出射される第２照明光の光量が多くなることから、延長部１８における発光輝度の低下を極力抑制することができる。
【００４４】
また本実施形態では、カバー部材２０が、指針本体１０（基部１１及び指示部１２）と導光手段６２と遮蔽部材７０とを覆うものであったが、カバー部材２０として指示部１２を覆う周壁部２２箇所を廃止したカバー部材を採用し、当該カバー部材が、基部１１と導光手段６２と台座部７２と受部７３とを覆う（少なくとも回転中心領域Ｒと延長部１８と導光手段６２とを覆う）ように構成してもよい。
【００４５】
なお、この場合、当該カバー部材には、指針本体１０の前面のうち基部１１の前面（つまり回転中心領域Ｒの前面及び延長部１８の前面）を露出させるスリットが設けられ、且つ、指示部１２を覆う周壁部２２箇所が廃止されることに伴って保持部７１も廃止されることになる。
【符号の説明】
【００４６】
１０    指針本体
１１    基部
１２    指示部
１８    延長部
２０    カバー部材
２１ａ  スリット
３０    台座部材
４０    バランサ
４１    補助反射面（補助反射部）
６０    透光部材
６２    導光部
６３    受光部
６４    第１導光部
６５    第２導光部
６５ａ  第１の反射部
６５ｂ  第２の反射部
６５ｃ  光出射部
７０    遮蔽部材
Ｒ    回転中心領域
ＲＡ    回転中心軸線
Ｘ    軸線方向
Ｙ    仮想中心線
【図１】
2016003999.tif 000003
【図２】
2016003999.tif 000004
【図３】
2016003999.tif 000005